(57)【要約】　　【課題】　物品を搬送しつつ該物品を目標重量に計量する自動計量装置において、水分の多い角切り野菜や、漬物や、惣菜等の粘着性の強い食料品等の物品についても、物品が接触する面への物品の付着防止効果を十分に得ることができる自動計量装置を提供することを課題とする。　　【解決手段】　物品を搬送しつつ該物品を目標重量に計量する自動計量装置において、物品が接触する面に、全方向に拡がる凹凸を設けると共に、その凸部２０を略半球面状とし、かつ少なくとも凸部２０の表面をシボ状とする。【選択図】　　図３
2004125800.tif 000002
【特許請求の範囲】
【請求項１】
　物品を搬送しつつ該物品を目標重量に計量する自動計量装置であって、物品が接触する面に全方向に拡がる凹凸が設けられていると共に、その凸部は略半球面状または錐体状とされ、かつ少なくとも凸部の表面がシボ状とされていることを特徴とする自動計量装置。
【請求項２】
　物品を搬送しつつ該物品を目標重量に計量する自動計量装置であって、物品が接触する面に凹凸が設けられていると共に、隣接する凸部の高さが異なっていることを特徴とする自動計量装置。
【請求項３】
　隣接する凸部の形状が異なっていることを特徴とする請求項１または請求項２に記載の自動計量装置。
【請求項４】
　上記搬送面は金属板で構成されると共に、上記凹凸はエンボス加工によって形成されていることを特徴とする請求項１から請求項３のいずれかに記載の自動計量装置。
【請求項５】
　供給された物品を周囲に分散させる分散テーブルと、該分散テーブルによって分散された物品を受けて先端部から排出するトラフと、該トラフから排出された物品を一時貯留するプールホッパと、該プールホッパから排出された物品を収容してその重量を計量する計量ホッパと、該計量ホッパから排出された物品を集合して排出する集合シュートとが備えられていることを特徴とする請求項１から請求項４のいずれかに記載の自動計量装置。  
【発明の詳細な説明】
【技術分野】
【０００１】
　本発明は、自動計量装置に関し、物品計量の技術分野に属する。
【背景技術】
【０００２】
　例えば、自動計量装置として、複数の計量機に物品をそれぞれ供給し、各計量機で計量した計量値の中から所定の一定重量を得るのに最適の計量値の組合せを選択して、その選定された計量値を有する計量機内の物品のみを排出することにより、上記一定重量の物品を得るようにした組合せ計量式の自動計量装置が存在する。
【０００３】
　この自動計量装置は、供給された物品を周囲に分散させる分散テーブルと、この分散された物品を受けて加振機による振動により先端部から排出するトラフと、該トラフから排出された物品を一時貯留するプールホッパと、このプールホッパから排出された物品を受け止めてその重量を測定する計量ホッパと、該計量ホッパから排出された物品を下方に配設された包装機等に排出する集合シュートとで構成されており、これらの構成要素の搬送面に物品が直接接触しながら、次の工程に搬送されるようになっている。
【０００４】
　そのときに、これらの物品が惣菜等の粘着性を有する物品であったり、野菜等の水分を多く含む物品である場合、該物品が次工程に移行せずに搬送面に付着することがある。その場合、付着した物品にさらに別の物品が付着して次第にその量が増加して堆積することとなるため、頻繁な清掃が必要であったり、物品が計量ホッパに付着した場合には、正確に計量したにも拘らず物品が残留して、製品の計量精度を低下させる虞がある。
【０００５】
　そこで、物品が搬送面等に付着するのを防止するものとして、以下のようなものが開示されている。
【０００６】
　例えば、特許文献１には、自動計量装置ではないものの、すくい部の少なくとも片面に複数の小凹部を設けて、飯粒が剥離しやすくしたしゃもじが開示されている。
【０００７】
　また、特許文献２には、トラフ、プールホッパ、計量ホッパ、及び集合シュート等の被計量物接触内面を、円弧状の突起が規則的に或は不規則に多数個配置された円滑面として、被計量物の付着を防止した自動計量装置が開示されている。
【０００８】
　そして、特許文献３には、筒状の本体と、この本体の下方で開閉して当該本体の下部開口を開放・閉塞するゲート部とを備える自動計量装置のホッパにおいて、前記ホッパの内壁面のうち少なくともゲート部の内壁面に、可撓性の有機材料からなりかつ表面に複数の凹部の形成された被覆部材を着脱自在に装着し、被覆部材としてメッシュ状の素材を使用することにより、計量物との接触面積を減少させると共に、摩擦を減少させて、計量物を付着しにくくしたものが開示されている。
【０００９】
　さらに、特許文献４には、自動計量装置におけるホッパにおいて、ホッパの傾斜した面に、被計量物の付着を阻止するための凹凸面が形成されているものが開示されている。
【００１０】
　つまり、以上の特許文献１〜４で開示されている装置等は、物品の接触面に、凸部又は凹部或は凹凸部を備え、これらにより物品の付着を防止している。
【００１１】
【特許文献１】実用新案登録第３０７３９０７号公報
【特許文献２】実開昭５８−３９５２９号公報
【特許文献３】特開平７−５５５４５号公報
【特許文献４】特開平９−１９６７４６号公報
【発明の開示】
【発明が解決しようとする課題】
【００１２】
　しかしながら、特許文献３に示されているようなメッシュ状の搬送面の場合、付着防止効果はある程度得られるものの、メッシュの網目に物品が詰まりやすいため、清掃等のメンテナンスを頻繁に行う必要があり、作業性が悪かった。
【００１３】
　また、これ以外の特許文献１、２及び４に示されているような凹凸部をエンボス加工により設けたものについては、凸部の設置点数が多いため凸部に付着して、メッシュほどの付着防止効果を得ることができなかった。特に、水分の多い角切り野菜や、漬物や、惣菜等の粘着性の強い食料品等の物品について、十分な付着防止効果を達成し得なかった。
【００１４】
　そこで、本発明は、物品を搬送しつつ該物品を目標重量に計量する自動計量装置において、水分の多い角切り野菜や、漬物や、惣菜等の粘着性の強い食料品等の物品についても、物品が接触する面への物品の付着防止効果を十分に得ることができる自動計量装置を提供することを課題とする。
【課題を解決するための手段】
【００１５】
　上記課題を解決するために、本発明は、次のように構成したことを特徴とする。
【００１６】
　まず、本願の請求項１に記載の発明は、物品を搬送しつつ該物品を目標重量に計量する自動計量装置であって、物品が接触する面に全方向に拡がる凹凸が設けられていると共に、その凸部は略半球面状または錐体状とされ、かつ少なくとも凸部の表面がシボ状とされていることを特徴とする。
　そして、本願の請求項２に記載の発明は、物品を搬送しつつ該物品を目標重量に計量する自動計量装置であって、物品が接触する面に凹凸が設けられていると共に、隣接する凸部の高さが異なっていることを特徴とする。
【００１７】
　次に、本願の請求項３に記載の発明は、請求項１または請求項２に記載の発明において、隣接する凸部の形状が異なっていることを特徴とする。
　そして、本願の請求項４に記載の発明は、請求項１から請求項３のいずれかに記載の発明において、上記搬送面は金属板で構成されると共に、上記凹凸はエンボス加工によって形成されていることを特徴とする。
【００１８】
　また、本願の請求項５に記載の発明は、請求項１から請求項４のいずれかに記載の発明において、供給された物品を周囲に分散させる分散テーブルと、該分散テーブルによって分散された物品を受けて先端部から排出するトラフと、該トラフから排出された物品を一時貯留するプールホッパと、該プールホッパから排出された物品を収容してその重量を計量する計量ホッパと、該計量ホッパから排出された物品を集合して排出する集合シュートとが備えられていることを特徴とする。
【発明の効果】
【００１９】
　以上の様に構成したことにより、まず、請求項１の発明によれば、自動計量装置の物品が接触する面に凹凸を設けているため、物品と搬送面との接触面積が減少して、物品が搬送面に付着しにくくなるが、さらにその凸部は略半球面状または錐体状とされていると共に、少なくとも凸部の表面がシボ状とされているので、さらに物品と搬送面との接触面積が減少して、一層物品が搬送面に付着しにくくなり、搬送面への物品の付着が阻止される。
【００２０】
　また、請求項２に記載の発明によれば、自動計量装置の物品が接触する面に凹凸を設けているため、物品と搬送面との接触面積が減少して、物品が搬送面に付着しにくくなる。そして、隣接する凸部の高さが異なっているため、高い凸部間の間隔より大きな物品ではその高い凸部にのみ接触することとなって、実質的に接触面積が減少して、一層物品が搬送面に付着しにくくなり、その結果、搬送面への物品の付着が阻止される。
【００２１】
　そして、請求項３に記載の発明によれば、隣接する凸部の形状が異なっているので、物品と、搬送面のそれぞれの凸部との接触状態が不規則かつ異なることとなって、物品の付着阻止効果がさらに助長される。
【００２２】
　また、請求項４に記載の発明によれば、上記凹凸はエンボス加工によって形成することができるので、搬送面を構成する金属板に、容易に凹凸を形成することができる。
【００２３】
　そして、請求項５に記載の発明によれば、自動計量装置の構成がさらに具体化され、物品が接触する面を有した分散テーブル、トラフ、プールホッパ、計量ホッパ、及び集合シュートにおいて、上記請求項１から請求項４に記載の発明における作用と同様の作用が得られるようになる。
【発明を実施するための最良の形態】
【００２４】
　以下、本発明の実施の形態に係る自動計量装置について説明する。
【００２５】
　図１は、この自動計量装置１の概略の構成を示す１例で、この自動計量装置1は、上部中央が被計量物（図示せず）の供給部３とされ、該供給部３は、機台４の中央に加振機５を介して設置され、上方の筒状の投入シュートＨから投下された被計量物を周囲に分散する分散テーブル６と、その周囲にそれぞれ加振機７…７を介して放射状に配設された複数の放射トラフ８…８とを有し、これらの放射トラフ８…８の先端部下方にそれぞれ位置するように複数のプールホッパ９…９が円形に配設され、さらにそれぞれのプールホッパ９…９の下方に計量ホッパ１０…１０が配設されている。なお、投入シュートＨは、筒状内部に垂直の内面Ｈ′を有する。
【００２６】
　その場合に、このプールホッパ９は、図１、図２に示すように、前後面９ａ、９ｂ、及び側面９ｃ、９ｃを有し、上部が開口されていると共に、下部に排出口９ｄが設けられ、該排出口９ｄを開閉するゲート９ｅを有する。また、側面９ｃ、９ｃの上部には、斜面９ｆ、９ｆが設けられ、被計量物が飛散しないようになっている。そして、これらの面９ａ、９ｂ、９ｃ、９ｃ、９ｅ、９ｆ、９ｆのうち、後面９ｂ、斜面９ｆ、９ｆ、ゲート９ｅが傾斜状面で、残りの面９ａ、９ｃ、９ｃが垂直面とされている。
【００２７】
　また、計量ホッパ１０は、図１に示すように、前後面１０ａ、１０ｂ、及び両側面１０ｃ、１０ｃを有し、上部が開口されていると共に、下部に排出口１０ｄが設けられ、該排出口１０ｄを開閉するゲート１０ｅを有する。また、プールホッパ９と同様に側面１０ｃ、１０ｃの上部には、斜面１０ｆ、１０ｆが設けられ、被計量物が飛散しないようになっている。そして、これらの面１０ａ、１０ｂ、１０ｃ、１０ｃ、１０ｅ、１０ｆ、１０ｆのうち、前面１０ａ、ゲート１０ｅ、斜面１０ｆ、１０ｆが傾斜状面で、残りの面１０ｂ、１０ｃ、１０ｃが垂直面とされている。
【００２８】
　そして、上記機台４の内部には、これらのプールホッパ９…９のゲート９ｅ…９ｅ及び計量ホッパ１０…１０のゲート１０ｅ…１０ｅの開閉を制御するホッパゲート開閉装置１１…１１が配設されている。このホッパゲート開閉装置１１は、モータ（図示せず）により駆動され、被計量物排出指令を受けたときに、図示しない駆動手段により計量ホッパ１０内の被計量物を集合シュート１２内に排出させ、空になった該計量ホッパ１０内にプールホッパ９内の被計量物を投入させるように動作する。また、この計量ホッパ１０には、図示しない重量検出器が機台４内に連設されており、計量ホッパ１０内の被計量物の重量を計量する。
【００２９】
　また、分散テーブル６は、円錐状とされ、中心から周縁部に向けてなだらかに傾斜した上面６ａを有し、上記放射トラフ８は、底面８ａ及び側面８ｂ、８ｂを有して上部が開放され、集合シュート１２は、下部が開口されたロウト状で下向きの円錐状面１２ａを有している。
【００３０】
　一方、図１に示す上記投入シュートＨの内面Ｈ′、分散テーブル６の上面６ａ、放射トラフ８の水平面８ａの上面、及び放射トラフ８の側面８ｂの内面、図２に示すプールホッパ９…９の前面９ａ…９ａの内面９ａ′…９ａ′、後面９ｂ…９ｂの内面９ｂ′…９ｂ′、側面９ｃ…９ｃの内面９ｃ′…９ｃ′、ゲート９ｅ…９ｅの内面９ｅ′…９ｅ′、斜面９ｆ…９ｆの内面９ｆ′…９ｆ′、図１に示す計量ホッパ１０…１０の前面１０ａ…１０ａの内面、後面１０ｂ…１０ｂの内面、側面１０ｃ…１０ｃの内面、ゲート１０ｅ…１０ｅの内面、斜面１０ｆ…１０ｆの内面、集合シュート１２の円錐状面１２ａの内面には、凹凸が設けられている。
【００３１】
　この凹凸は、図３、図４に示すように、複数の凸部２０…２０が、等間隔で配置されて凹凸面Ａを構成している。凸部２０…２０は、表面全体にシボ状の処理が施された金属板（例えば、耐腐食性に優れるステンレス材等）を、エンボス加工することによって形成されている。そして、それぞれの凸部２０…２０は、略半球面状に金属板から盛り上がっており、正面視円形、断面円弧状とされている。また、この凹凸面Ａは、上記シボ状の処理によりその表面全体にさらに小さく不規則な形状の凹凸を有している。また、凸部２０の高さは約１ｍｍである。
【００３２】
　また、この凹凸は、図５、図６に示すようなものであってもよい。その場合、凹凸面Ｂの凹凸は、表面が平坦な金属板に高さが高い（また形も大きい）複数の凸部２１…２１と、高さが低い（また形も小さい）複数の凸部２２…２２とが交互に配置され、エンボス加工によって形成されている。そして、それぞれの凸部２１…２１、２２…２２は、略半球面状に金属板から盛り上がっており、正面視円形、断面円弧状とされている。また、複数の凸部２１、２２の高さは約１ｍｍ、約０．５ｍｍである。この場合には、表面にシボ状の処理が施されていない。
【００３３】
　そして、この凹凸は、図７、図８に示すようなものであってもよい。その場合、この凹凸面Ｃは、表面が平坦な金属板に形状の異なる複数の凸部２３…２３、２４…２４が交互に配置され、エンボス加工によって形成されている。そして、凸部２３…２３は、略半球面状に金属板から盛り上がって正面視円形、断面円弧状とされ、凸部２４…２４は四角錐体とされている。また、凸部２３、２４の高さは約１ｍｍ、約０．５ｍｍである。この場合には、表面にシボ状の処理が施されていない。
【００３４】
　次に、上記実施の形態の作用を説明する。
【００３５】
　投入シュートＨから投下された被計量物は、分散テーブル６上に落下して、加振機５の振動により各放射トラフ８…８に分散され、さらに加振機７…７の振動によりプールホッパ９…９に供給され、このプールホッパ９…９を経て各計量ホッパ１０…１０に供給される。被計量物は、計量ホッパ１０…１０に連設された各重量検出器（図示せず）によりそれぞれ計量され、その計量値の中から所定の一定重量を得るための最適の組合せが選定されると共に、選定された被計量物はその計量ホッパ１０…１０におけるゲート１０ｅ…１０ｅがゲート開閉装置１１…１１の作動によって開かれることにより、下方の集合シュート１２を通過して集合された上で該集合シュート１２の下方に備えられた包装装置（図示せず）に供給される。また、被計量物を排出した計量ホッパ１０…１０には、上記ゲート開閉装置１１…１１の作動によってゲート１０ｅ…１０ｅが閉じられた後で、上方に位置するプールホッパ９…９のゲート９ｅ…９ｅが開かれることにより、該ホッパ９…９から直ちに被計量物が供給され、次回の計量に備えられる。
【００３６】
　その後、上記ゲート開閉装置１１…１１の作動によってプールホッパ９…９のゲート９ｅ…９ｅも閉じられて、この状態で放射トラフ８…８から被計量物がプールホッパ９…９に供給されることになる。
【００３７】
　そのときに、被計量物が接触しながら搬送される搬送面である上記投入シュートＨの内面Ｈ′、分散テーブル６の上面６ａ、放射トラフ８の水平面８ａの上面、及び放射トラフ８の側面８ｂの内面、図２に示すプールホッパ９…９の前面９ａ…９ａの内面９ａ′…９ａ′、後面９ｂ…９ｂの内面９ｂ′…９ｂ′、側面９ｃ…９ｃの内面９ｃ′…９ｃ′、ゲート９ｅ…９ｅの内面９ｅ′…９ｅ′、斜面９ｆ…９ｆの内面９ｆ′…９ｆ′、図１に示す計量ホッパ１０…１０の前面１０ａ…１０ａの内面、後面１０ｂ…１０ｂの内面、側面１０ｃ…１０ｃの内面、ゲート１０ｅ…１０ｅの内面、斜面１０ｆ…１０ｆの内面、集合シュート１２の円錐状面１２ａの内面は、前述のいずれかの凹凸面Ａ〜Ｃとされているから、以下のような作用を生じる。
【００３８】
　まず、図３、図４に示す凹凸面Ａでは、表面全体にシボ状の処理が施された金属板に、複数の凸部２０…２０が、それぞれの凸部２０…２０の間隔が等しくなるように配置されており、それぞれの凸部２０…２０は、略半球面状に金属板から盛り上がっており、正面視円形、断面円弧状とされているから、該凸部２０…２０のみによって、被計量物との接触面積が減少して、被計量物が搬送部材の表面に付着しにくくなるが、該凸部２０…２０の表面全体がシボ状とされているので、さらに被計量物と搬送面との接触面積が減少して、一層被計量物が搬送面に付着しにくくなり、被計量物の付着が阻止される。
【００３９】
　また、図５、図６に示す凹凸面Ｂでは、表面が平坦な金属板に直径及び高さの異なる複数の凸部２１…２１、２２…２２が交互に配置されており、それぞれの凸部２１…２１、２２…２２は、略半球面状に金属板から盛り上がっており、正面視円形、断面円弧状とされているから、被計量物と搬送面との接触面積が減少して、被計量物が搬送面に付着しにくくなるが、さらに隣接するこれらの凸部２１…２１、２２…２２の高さが異なっているので、高い凸部２１…２１間の間隔より大きな被計量物では高い凸部２１…２１にのみ接触することとなって、実質的に接触面積が減少して、被計量物が搬送面にさらに付着しにくくなり、搬送面への被計量物の付着が阻止される。
【００４０】
　そして、図７、図８に示す凹凸面Ｃでは、表面が平坦な金属板に形状の異なる複数の凸部２３…２３、２４…２４が交互に配置されており、凸部２３…２３は半球面状体とされ、凸部２４…２４は四角錐体とされて、隣接する凸部２３…２３、２４…２４の形状が異なっているので、被計量物と、搬送面のそれぞれの凸部２３…２３、２４…２４との接触状態が不規則となり、また接触部位毎に異なることとなって、上記物品付着防止効果がさらに助長される。
【００４１】
　したがって、上記投入シュートＨから供給された被計量物は、少なくとも、投入シュートＨの内面Ｈ′、分散テーブル６の上面６ａ、放射トラフ８の水平面８ａの上面、及び放射トラフ８の側面８ｂの内面、図２に示すプールホッパ９…９の前面９ａ…９ａの内面９ａ′…９ａ′、後面９ｂ…９ｂの内面９ｂ′…９ｂ′、側面９ｃ…９ｃの内面９ｃ′…９ｃ′、ゲート９ｅ…９ｅの内面９ｅ′…９ｅ′、斜面９ｆ…９ｆの内面９ｆ′…９ｆ′、図１に示す計量ホッパ１０…１０の前面１０ａ…１０ａの内面、後面１０ｂ…１０ｂの内面、側面１０ｃ…１０ｃの内面、ゲート１０ｅ…１０ｅの内面、斜面１０ｆ…１０ｆの内面、集合シュート１２の円錐状面１２ａの内面、即ち、複数の搬送面に順次接触しながら、次の工程に搬送されていくが、これらの搬送面は、凹凸面Ａ、Ｂ、Ｃのいずれかとされているから、被計量物がこれらの面に付着することなく、集合シュート１２の下部の開口部から円滑に排出されることとなる。
【００４２】
　なお、上記実施例では被計量物が接触する面に全て凹凸が設けられていたが、垂直でない面だけに凹凸を設けても良く、分散テーブル６の上面６ａ、放射トラフ８の側面８ｂの内面、プールホッパ９…９の後面９ｂ…９ｂの内面９ｂ′…９ｂ′、ゲート９ｅ…９ｅの内面９ｅ′…９ｅ′、斜面９ｆ…９ｆの内面９ｆ′…９ｆ′、計量ホッパ１０…１０の前面１０ａ…１０ａの内面、ゲート１０ｅ…１０ｅの内面、斜面１０ｆ…１０ｆの内面、集合シュート１２の円錐状面１２ａがこの垂直でない面に該当する。なぜなら、垂直面は、比較的に被計量物が付着しないからである。また、凹凸は、計量ホッパ１０…１０及び集合シュート１２の内面だけでもよい。なぜなら、計量誤差が生じるのは計量された後のため、計量ホッパ１０…１０の上流では、被計量物が付着しても計量誤差を生じないからである。
【００４３】
　なお、図３、図４に示す凹凸面Ａにおいて、隣接する凸部２０、２０の高さを高低相異なるようにしてもよい。
【００４４】
　なお、図５〜図８に示す凹凸面Ｂ、Ｃの表面についても、図３の凹凸面Ａと同様のシボ状であってもかまわない。
【００４５】
　また、図５、６に示す凹凸面Ｂでは、２種類の高さの凸部２１…２１、２２…２２を交互に配置したが、３種類以上の高さの凸部を規則的或は不規則に配置してもかまわない。また、断面波形のエンボスを用いてもよい。
【００４６】
　さらに図７、図８に示す凹凸面Ｃでは、２種類の形状の凸部２３、２４を交互に配置したが、図７、図８のような球面状、四角錐でなく、三角錐等、その他の錐や、直方体等、その他の形状であっても構わない。また、平面視が、六角形のハニカム状のものや、三角形や、五角形や、それ以上の多角形でもよい。また、３種類以上の凸部の組合せで構成してもかまわない。
【００４７】
　さらに、図３〜図８の凹凸面Ａ、Ｂ、Ｃでは、凸部を規則的に等間隔で配置したが、不規則に間隔がそろわない状態で配置してもかまわない。
【００４８】
　また、本実施例では、金属板を用いたが、搬送面をプラスチックで構成してもよい。ただ、金属板を用いるた場合、１種類の金属板を加工して各々の部材を作れるが、プラスチックの場合、各部材毎に型を起こさねばならず、コストが高くつく。サイズを変更する場合も同様である。
【産業上の利用可能性】
【００４９】
　以上のように、本発明によれば、水分の多い角切り野菜や、漬物や、惣菜等の粘着性の強い食料品等の物品についても、物品が接触する面への物品の付着防止効果を十分に得ることができる自動計量装置を提供することが可能となり、物品計量の技術分野に広く好適である。
【図面の簡単な説明】
【００５０】
【図１】本発明に係る自動計量装置の要部正面図である。
【図２】同プールホッパの平面図である。
【図３】凹凸面Ａの平面図である。
【図４】図３のＤ−Ｄ線による切断端面図である。
【図５】凹凸面Ｂの平面図である。
【図６】図５のＥ−Ｅ線による切断端面図である。
【図７】凹凸面Ｃの平面図である
【図８】図７のＦ−Ｆ線による切断端面図である。
【符号の説明】
【００５１】
　　１　　　　　　自動計量装置
　　６　　　　　　分散テーブル
　　８　　　　　　トラフ
　　９　　　　　　プールホッパ
　　１０　　　　　計量ホッパ
　　１２　　　　　集合シュート
　　２０〜２４　　凸部
　　Ａ〜Ｃ　　　　凹凸面
【図１】
2004125800.tif 000003
【図２】
2004125800.tif 000004
【図３】
2004125800.tif 000005
【図４】
2004125800.tif 000006
【図５】
2004125800.tif 000007
【図６】
2004125800.tif 000008
【図７】
2004125800.tif 000009
【図８】
2004125800.tif 000010